(57)【要約】【課題】  把手がさほど大きく突出せず、コンパクトでありながら、指の入るスペースが比較的大きく持ちやすい把手付き容器を提供すること。【解決手段】  この発明の把手付き容器は、合成樹脂製の把手付き容器であって、容器本体１の側面に凹部２を形成し、この凹部２をまたぐようにして把手３を設けたものとしている。また、容器本体１の凹部２を形成した部分の内面を、前記凹部２に対応して内方に突出させたものとすることができる。この容器は、第１コア部と第２コア部からなるコアを使用して、容器本体１の内面を成型することができる。【選択図】  図１
2005162247.tif 000002
【特許請求の範囲】
【請求項１】
合成樹脂製の把手付き容器であって、容器本体（１）の側面に凹部（２）を形成し、この凹部（２）をまたぐようにして把手（３）を設けていることを特徴とする把手付き容器。
【請求項２】
容器本体（１）の凹部（２）を形成した部分の内面を、前記凹部（２）に対応して内方に突出させている請求項１記載の把手付き容器。
【請求項３】
請求項２記載の把手付き容器をコア（４）とキャビティを備えた金型を使用して製造する方法であって、容器本体（１）の内面を成型するコア（４）が、容器本体（１）の深さ方向に沿って分割された第１コア部（４ａ）と第２コア部（４ｂ）からなり、第１コア部（４ａ）は容器本体（１）の側面の凹部（２）に対応して内方に突出させた部分を形成するための凹み（５）を有する形状とし、第１コア部（４ａ）と第２コア部（４ｂ）が合わさった状態で容器本体（１）の内面を成型した後、容器本体（１）を第２コア部（４ｂ）から離型させ、次いで第１コア部（４ａ）から離型させることを特徴とする把手付き容器の製造方法。
【発明の詳細な説明】
【技術分野】
【０００１】
この発明は、水その他適宜の飲み物を入れるための把手付き容器に関するものである。
【背景技術】
【０００２】
従来より、特許文献１に記載のような把手付き容器が普及している。この種の把手付き容器は、持ちやすくするために、把手を大きくすることが望ましいが、そうすると把手が大きく突出するためコンパクトにすることができない。
【０００３】
特に、旅行等の際に携帯する歯磨きセットに付属させるようなコップの場合は、できるだけコンパクトにする必要があり、把手を小さくせざるを得なかったが、把手の内側の指の入るスペースが小さくなるため非常に持ちづらくなっており、コンパクトでありながらも把手を持ちやすくしたものが望まれていた。
【特許文献１】第４５１４３７号意匠公報
【発明の開示】
【発明が解決しようとする課題】
【０００４】
そこで、この発明は、把手がさほど大きく突出せず、コンパクトでありながら、指の入るスペースが比較的大きく持ちやすい把手付き容器を提供することを課題とする。
【課題を解決するための手段】
【０００５】
前記課題を解決するため、この発明は次のような技術的手段を講じている。
【０００６】
この発明の把手付き容器は、合成樹脂製の把手付き容器であって、容器本体１の側面に凹部２を形成し、この凹部２をまたぐようにして把手３を設けたものとしている。
【０００７】
さらに、この発明の把手付き容器は、容器本体１の凹部２を形成した部分の内面を、前記凹部２に対応して内方に突出させたものとすることができる。
【０００８】
そして、前記把手付き容器は、コア４とキャビティを備えた金型を使用して製造する方法であって、容器本体１の内面を成型するコア４が、容器本体１の深さ方向に沿って分割された第１コア部４ａと第２コア部４ｂからなり、第１コア部４ａは容器本体１の側面の凹部２に対応して内方に突出させた部分を形成するための凹み５を有する形状とし、第１コア部４ａと第２コア部４ｂが合わさった状態で容器本体１の内面を成型した後、容器本体１を第２コア部４ｂから離型させ、次いで第１コア部４ａから離型させるようにした製造方法により製造することができる。
【発明の効果】
【０００９】
この発明の把手付き容器は、上述のような構成を有しており、把手３がさほど大きく突出せず、コンパクトでありながら、指の入るスペースが比較的大きく持ちやすいものとすることができる。
【００１０】
また、この発明の把手付き容器は、容器本体１の凹部２を形成した部分の内面を、前記凹部２に対応して内方に突出させたものとすることにより、容器本体１の周壁が、全体的にほぼ一様の厚みを有したものとすることができる。
【００１１】
そして、前記把手付き容器の製造方法によれば、第１コア部４ａと第２コア部４ｂからなるコア４を使用することにより、前記凹部２に対応して内方に突出させた部分を形成した把手付き容器を得ることが可能である。
【発明を実施するための最良の形態】
【００１２】
以下、この発明の好適な実施形態を、図面を参照して説明する。
【００１３】
図１はこの発明の実施形態の把手付き容器の斜視図である。
【００１４】
この発明の把手付き容器は、合成樹脂製の把手付き容器であって、容器本体１の側面に凹部２を形成し、この凹部２をまたぐようにして把手３を設けている。
【００１５】
容器本体１は、円筒状の周壁に底部を設けた形状としている。凹部２は、容器本体１の上部よりの位置に形成されており、容器本体１を円弧状に抉るような態様となっている。
【００１６】
容器本体１の凹部２を形成した部分の内面は、前記凹部２に対応して、凹部２の深さ分、内方に突出した形状となっており、容器本体１の周壁は、全体的にほぼ一様の厚みを有している。
【００１７】
把手３は、略Ｃ字状で、容器本体１と一体に成型されており、両端が前記凹部２の上端付近と下端付近に位置するように設けられ、容器本体１の凹部２と把手３の内側とで構成される孔が縦長の楕円形状となるようにしている。
【００１８】
この把手付き容器は、以上のような構成であるため、容器本体１の大きさに対して把手３がさほど大きく突出せず、コンパクトでありながら、指の入るスペースが比較的大きく持ちやすいものとなっている。
【００１９】
また、容器本体１の側面に形成された凹部２は、通常の把手付き容器における凹部２のない側面に比べ、使用者の指との接触面積が大きくなるので、しっかりと容器を支持することができる。
【００２０】
次に、この把手付き容器の製造方法について説明する。
【００２１】
この把手付き容器は、基本的には周知の把手付き容器と同様に、コアとキャビティを備えた金型を使用することにより、ＡＳ樹脂等の合成樹脂の一体成型により製造することができる。すなわち、コアで容器の内面を成型するとともに、キャビティで容器の外面を成型し、成型された容器をコア及びキャビティから離型させることにより製造できる。
【００２２】
ただし、容器本体１の凹部２を形成した部分の内面が内方に突出しているため、通常の構成のコアでは容器を離型させることができない。そのため、この実施形態では、以下のような措置を講じている。
【００２３】
図２は、この把手付き容器を製造するための金型で、容器をコア４から離型させる前の状態の側面図、図３は、同金型で、容器をコア４から離型させる様子を示す側面図で、いずれもキャビティ側は図示を省略している。
【００２４】
容器本体１の内面を成型するコア４は、図２、図３に示したように、容器本体１の深さ方向（図中左右方向）に沿って分割された第１コア部４ａと第２コア部４ｂからなるものとしている。コア４は、第１コア部４ａと第２コア部４ｂが合わさった状態において、容器本体１の内面形状に対応した形状となっている
第１コア部４ａは、容器本体１の把手３を設けた付近の部分の内面を成型するものであり、容器本体１の側面の凹部２に対応して内方に突出させた部分を形成するための凹み５を有する形状としている。
【００２５】
第２コア部４ｂは、把手３を設けた付近を除く容器本体１の内面の大部分を成型するものであり、円柱の一部を軸方向に切欠したような形状としている。
【００２６】
コア４側は、固定型６と前後に移動可能な払い板７を有している。払い板７は、固定型６の上部と下部に設けられた前方（キャビティ側）に延びるガイド８，９を挿通させるガイド孔１０，１１を有し、固定型６から前後方向に出入する突き出しピン１２，１３により、前方に移動させられるようになっている。
【００２７】
第１コア部４ａは払い板７の前面側に固定され、第２コア部４ｂは払い板７に設けられた孔１４に貫通するようにしている。
【００２８】
キャビティは、図示しないが、図２に表れている把手付き容器の前面側の外面を成型する型と、その反対側の外面を形成する型の、分割された２つの型からなるものとすることができる。
【００２９】
この金型を私用して把手付き容器を成型するには、図２に示したように、まず第１コア部４ａと第２コア部４ｂが合わさった状態のコア４で容器の内面を成型するとともに、キャビティ（図示せず）で容器の外面を成型する。
【００３０】
そして、成型された把手付き容器を、キャビティと第２コア部４ｂから離型させた後に、第１コア部４ａから離型させる。図３に示したように、払い板７を前方に移動させると、把手付き容器は第２コア部４ｂに対してスライドして離型し、第２コア部４ｂは容器本体１内にその先端部のみが残った状態になるので、図中の矢印方向に把手付き容器を傾けると、第１コア部４ａからも離型させることができる。
【００３１】
なお、この把手付き容器は、例えば図４に示したように、携帯用の歯磨き粉入りチューブ１５や歯ブラシ１６を容器本体１内に収容し、開口部にキャップ１７を取り付けることにより、旅行等の際に便利な携帯用の歯磨きセットを構成することができる。
【００３２】
容器本体１は、特に図示した形状には限定されず、角筒状等としてもよい。また、凹部２と把手３は、図４に示したように、その内側部分の孔の形状が、星型や、その他ハート形状等適宜の形状となるようにすることができる。
【００３３】
また、本体１の外周面に適宜の文字、図形、キャラクター等の模様を付すことができ、色彩も自由である。
【産業上の利用可能性】
【００３４】
携帯用の歯磨きセットのコップ、その他適宜の容器として利用することが可能である。
【図面の簡単な説明】
【００３５】
【図１】この発明の実施形態の把手付き容器の斜視図である。
【図２】この発明の実施形態の把手付き容器を製造するための金型で、容器をコアから離型させる前の状態の側面図である。
【図３】この発明の実施形態の把手付き容器を製造するための金型で、容器をコアから離型させる様子を示す側面図である。
【図４】この発明の実施形態の把手付き容器の斜視図である。
【符号の説明】
【００３６】
１  容器本体
２  凹部
３  把手
４  コア
４ａ  第１コア部
４ｂ  第２コア部
５  凹み
【図１】
2005162247.tif 000003
【図２】
2005162247.tif 000004
【図３】
2005162247.tif 000005
【図４】
2005162247.tif 000006